(57)【要約】【課題】内開き戸を簡単に施錠、解錠でき操作レバーを引いてそのまま戸を内開きできるようにした内開き戸の施錠装置を提供する。【解決手段】戸先側の竪框９に手掛け片１０を固定し、その裏面に操作レバー２１を回動自在に枢着する。操作レバーには、係合鈎部２３が設けられ、戸が閉鎖位置にあるとき係合鈎部２３に係合するよう枠体の竪枠４９に係止部５１が設けられている。上記操作レバー２１はばね４６で係合鈎部２３が係止部５１に係合する方向に付勢されている。操作レバー２１を引くと、係合鈎部２３と係止部５１の係合がはずれ、戸を内側に開くことができる。【選択図】図５
2018199952.tif 000002
【特許請求の範囲】
【請求項１】
枠体に開閉自在に吊り込まれた内開き戸の施錠装置であって、戸の戸先側の竪框の小口に沿って延び該竪枠の小口に固定される取付部と戸の前面に沿って延びる表板部と上記取付部と表板部の交点に設けられた支承部を有する手掛け片と、該手掛け片の支承部に回動可能に連結され手掛け片の上記表板部に対向する操作部と手掛け片の上記取付部に沿って延び先端に係合鈎部を形成した作動部を有する操作レバーと、戸が閉鎖位置にあるとき上記係合鈎部と係合するよう枠体の竪枠の小口に設けられた係止部と、上記操作レバーの上記係合鈎部が上記係止部に係合する方向に操作レバーを付勢するばねを具備し、戸が閉鎖位置にあるとき係合鈎部が係止部に係合して施錠し、操作レバーの操作部を手掛け片の表板部方向に引き寄せたとき係合鈎部と係止部の係合が外れて解錠されることを特徴とする内開き戸の施錠装置。
【請求項２】
上記手掛け片は竪框の外方に湾曲しながら突出する回動ストッパー部を有し、該回動ストッパー部の先端には直角に延びる指挟み防止壁が設けられている請求項１に記載の内開き戸の施錠装置。
【請求項３】
上記手掛け片及び操作レバーは、戸の竪框の全長に渡る長さを有する請求項１又は２に記載の内開き戸の施錠装置。
【請求項４】
上記請求項１〜４のいずれかに記載の施錠装置を使用した内開き戸。
【発明の詳細な説明】
【技術分野】
【０００１】
本発明は、ヒンジにより開閉自在に枠体に吊り込まれた内開き戸を、簡単に施錠、解錠できるようにした内開き戸の施錠装置に関するものである。
【背景技術】
【０００２】
枠体に開閉自在に吊り込んだ戸を、錠装置で枠体に施錠するようにした各種施錠装置が用いられている。一般的にこのような施錠装置は、戸先側に錠装置が設けられ、戸を閉鎖した後、錠装置により施錠し、戸を開く前に錠装置を操作して施錠を解錠している（例えば特許文献１参照）。特許文献１に記載の解錠操作装置は、障子の前面側に操作レバーが突出し、障子を開く際にこの操作レバーを押すと、錠装置が解錠状態になって障子を外方に開放することができるよう構成されている。しかし、この装置は構造が複雑で経済的に得ることができず、故障もしやすい。
【０００３】
上記特許文献１に記載の装置は、操作レバーを押しながら解錠することにより障子を外開きすることができるが、この装置では、障子を室内側に開くようにした内開き戸に採用することができない。操作レバーを引いて解錠し障子を内開きできるようにした窓も知られている（例えば特許文献２参照）が、構成が複雑である。また、従来の装置は、操作レバーやハンドルが障子の表面から前方に突出して設けられているので、手、指等が引っかかるおそれがあり、障子との一体感もなく、見た目もよくない。
【先行技術文献】
【特許文献】
【０００４】
【特許文献１】特許第５９５２１７７号公報(特許請求の範囲、図１〜図６)
【特許文献２】特許第２８３５０２５号公報(特許請求の範囲、図１、図２)
【発明の概要】
【発明が解決しようとする課題】
【０００５】
本発明は、簡単な構成で内開き戸を施錠、解錠でき、操作レバーを引いたとき解錠してそのまま戸を開くことができ、閉じるときは戸を閉鎖すれば施錠ができ、かつ操作レバーが戸の前面側に突出しないようにした内開き戸の施錠装置を提供することである。
【課題を解決するための手段】
【０００６】
本発明によれば、枠体に開閉自在に吊り込まれた内開き戸の施錠装置であって、戸の戸先側の竪框の小口に沿って延び該竪枠の小口に固定される取付部と戸の前面に沿って延びる表板部と上記取付部と表板部の交点に設けられた支承部を有する手掛け片と、該手掛け片の支承部に回動可能に連結され手掛け片の上記表板部に対向する操作部と手掛け片の上記取付部に沿って延び先端に係合鈎部を形成した作動部を有する操作レバーと、戸が閉鎖位置にあるとき上記係合鈎部と係合するよう枠体の竪枠の小口に設けられた係止部と、上記操作レバーの上記係合鈎部が上記係止部に係合する方向に操作レバーを付勢するばねを具備し、戸が閉鎖位置にあるとき係合鈎部が係止部に係合して施錠し、操作レバーの操作部を手掛け片の表板部方向に引き寄せたとき係合鈎部と係止部の係合が外れて解錠されることを特徴とする内開き戸の施錠装置が提供される。
【０００７】
本発明によれば、上記施錠装置において、上記操作レバーの作動部には突軸が設けられ、上記戸の竪框にはベースが固定され、上記突軸はベースに設けたガイド溝に挿通し、該突軸の先端とベースに設けた掛止片に上記ばねが連結されている上記内開き戸の施錠装置が提供される。
【０００８】
また、本発明によれば、上記施錠装置において、上記手掛け片及び操作レバーは、戸の竪框のほぼ全長に渡る長さを有する上記内開き戸の施錠装置が提供される。
【発明の効果】
【０００９】
本発明は、上記のように、戸の前面に沿って延びる表板部と戸の戸先側の竪框の小口に沿って延びる取付部を有する手掛け片を竪框に固定する。該手掛け片の上記取付部と表板部の交点には、支承部があり、この支承部に、操作レバーを回動可能に連結してある。該操作レバーは、手掛け片の上記表板部の裏面側に対向する操作部と上記取付部に沿って延び先端に係合鈎部を形成した作動部を有している。戸が閉鎖位置にあるとき上記係合鈎部が係合するよう枠体の竪枠の小口には、係止部を設けてあり、上記操作レバーは、上記係合鈎部が係止部に係合する方向にばねで付勢されている。そして、戸が閉鎖位置にあるとき係合鈎部が係止部に係合して施錠し、操作レバーの操作部を手掛け片の表板部に引き寄せたとき係合鈎部と係止部の係合が外れて解錠される。このように、本発明の施錠装置は、操作レバーを引くだけで解錠し、戸を閉鎖すれば操作レバーの係合鈎部が係止部に係合して施錠できるので、従来の装置に比べて構成が極めて簡単で故障もしにくい。
【００１０】
また、上記操作レバーは、戸先側の小口に設けた手掛け片の裏面側に設けられているので、前面からは見えず、手、指等が引っかかるおそれもない。手掛け片及び操作レバーを、竪框のほぼ全長に渡って設けることにより、戸先側の上下のどの位置からでも操作レバーを操作することができ、使用しやすい。
【図面の簡単な説明】
【００１１】
【図１】本発明の一実施例を示し、戸の正面図。
【図２】戸と枠体の関係を示し、平面からみた説明図。
【図３】手掛け片の断面図。
【図４】操作レバーの断面図。
【図５】一部切欠き分解斜視図。
【図６】竪框の一部を示す斜視図。
【図７】戸の開放する過程を示し、（Ａ）は戸が閉鎖している状態、（Ｂ）は手掛け片を持って操作レバーを引いた状態、（Ｃ）は戸を開いた状態の各説明図。
【図８】戸を閉鎖する過程を示し、（Ａ）は戸が開いている状態、（Ｂ）は戸を枠体に押し付ける途中の状態、（Ｃ）は戸を完全に閉鎖した状態の各説明図。
【発明を実施するための形態】
【００１２】
図１、図２を参照し、本発明において、戸１（障子）は、枠体２の上下に設けたヒンジ３により該枠体２に開閉自在に吊り込まれ、実施例では枠体２の上枠４に沿って摺動自在にスライダー５を設け、戸の上框６に枢着７したリンク８を該スライダーに連結して戸１を内開きできるようにしてあり、通常は内開き角度を制限する開口制限装置や急激に開戸しないよう安全のためのフリクションステーが取り付けられている。
【００１３】
上記戸の戸先側の竪框９には、手掛け片１０が設けられている。該手掛け片１０は、図１、図３、図５に示すように、上記竪框９の小口１１に沿って延び、取付孔１２にねじ（図示略）を挿通して上記小口１１に固定される取付部１３と、該取付部１３から戸１の前面に沿ってほぼ直角に延びる表板部１４を有する。該表板部１４は、上記竪框９の角部に接して位置決め定規の作用をなす位置決め部１５と、竪框の外方に突出する回動ストッパー部１６を有する。該回動ストッパー部１６は、好ましくは緩やかに竪框の小口方向に湾曲し、先端には、ほぼ直角に裏面方向に突出する指挟み込み防止壁１７が形成されている。上記取付部１３と表板部１４の回動ストッパー部１６側の交点には支承部１８が形成されている。図に示す支承部１８は、上記取付部１３側及び回動ストッパー部１６側からそれぞれ突出する突片１９により受溝２０を形成している。
【００１４】
上記手掛け片１０の支承部１８には、回動自在に操作レバー２１が連結されている。該操作レバー２１は、上記手掛け片１０の表板部１４の回動ストッパー部１６側の裏面に対向し該回動ストッパー部１６に当たる位置で回動が制限される操作部２２と、上記取付部１３に沿って延び先端に係合鈎部２３を形成した作動部２４を有する。該操作部２２は、回動ストッパー部１６との間に回動間隙２５を形成するよう少し後方に湾曲し、好ましくは表面に凹凸その他適宜形状のすべり止め２６を設けてある。また、上記係合鈎部２３は、丸く形成した先端部２７から竪框方向に向かって延びる傾斜面２８と、該傾斜面２８の先端から作動部２４に向かって屈曲する起立面２９を有する。また、上記作動部２４には上記手掛け片１０の取付部１３に当接する小突起３０と、突軸３１をねじ３２で固定するための取付孔３３が形成されている。
【００１５】
上記操作レバー２１を定位置に保持するため上記竪框９には、１個若しくは複数個のベース３４が固定される。該ベース３４は、上記突軸３１を挿入するガイド溝３５を形成した起立片３６と、竪框９の取付孔３７にねじ３８をねじ込んで固定するための挿入孔３９を形成した平面部４０と、上記起立片３６に対向する側に突設した掛止片４１を有し、上記ガイド溝３５は起立片３６から平面部４０に渡って延びている。上記突軸３１には雌ねじ４２と、上記起立片３６に摺接するフランジ４３と、ガイド溝３５に入り込み、回り止めとして円柱外面をカットした切欠き面４４が形成され、後端に設けた掛止孔４５と上記掛止片４１間に、操作レバー２１を竪框９の小口１１方向に付勢するばね４６の両端が掛け止められる。なお、上記竪框９には、上記突軸３１を挿通させることができるよう切欠き溝４７が形成されている（図６参照）。
【００１６】
上記操作レバー２１の操作部２２と作動部２４を結ぶ角には、該操作レバー２１を手掛け片１０に回動自在に連結するための回動軸４８が形成されている。該回動軸４８は上記手掛け片１０の支承部１８に形成した受溝２０に回動自在に挿入される。なお、実施例とは逆に、手掛け片の支承部に回動軸を設け、操作レバーに受溝を設けたり、両者に組み合わせ可能に連結枠を設けてピンで回動自在に連結したり、手掛け片や操作レバーと別体に独立したヒンジを設け該ヒンジを介して回動自在に枢着してもよい（図示略）。
【００１７】
上記枠体２の竪枠４９の小口５０には、係止部５１を設けた受け具５２がねじ５３で固定されている。該係止部５１は、起立面５４を有し、戸が閉鎖位置にあるとき上記係合鈎部２３の起立面２９に該起立面５４が摺接して係合するよう該係止部５１は少し外方に突出し、角には傾斜面５５が形成されている。
【００１８】
上記操作レバー２１は、上記ばね４６により竪框９の小口１１方向に付勢されているから、上記係合鈎部２３は、上記係止部５１に係合する方向に常に付勢される。また、上記手掛け片１０及び操作レバー２１は、操作レバー２１が外面にあらわれず、かつ上下方向のどの位置からも操作レバー２１を操作することができるよう好ましくは戸の竪框９のほぼ全長に渡って延びる長さに形成されている。
【００１９】
上記構成により戸１を閉鎖している状態では、図７（Ａ）に示すように、作動部２４の係合鈎部２３が、受け具５２の係止部５１に係合しており、戸１は閉鎖位置で施錠されている。そして、上記手掛け片１０に手をかけて操作レバー２１の操作部２２を引くと、作動部２４が回動して係合鈎部２３が係止部５１から外れ(同図Ｂ)、さらに手掛け片１０を引くと、戸を内側に開くことができる(同図Ｃ)。
【００２０】
戸を開いた状態では、図８(Ａ)に示すように、操作レバー２１はばね４６の作用で最初の状態に復帰しているから、戸を閉鎖するときには、表板部或いは框を押してそのまま枠体２に向かって戸１を回動し閉鎖すればよい。係合鈎部２３の傾斜面２８が受け具５２の係止部５１の傾斜面５５にあたると、ばね４６の弾性力に抗して外側に少し回動しながら(同図Ｂ)該係止部５１に噛み合いはじめ、係止部５１を超えたところでばね４６の作用で係合鈎部２３の起立面２９と係止部５１の起立面５４が摺接して係合し、施錠することができる(同図Ｃ)。
【００２１】
上記手掛け片１０、操作レバー２１、受け具５２はアルミ合金等の押し出し材で成形してあるが、プラスチック材料、木材料で構成することもできる。
【符号の説明】
【００２２】
１    戸
２    枠体
９    竪框
１０  手掛け片
１３  取付部
１４  表板部
１５  位置決め部
１６  回動ストッパー部
１７  指挟み防止壁
１８  支承部
２０  受溝
２１  操作レバー
２２  操作部
２３  係合鈎部
２４  作動部
３１  突軸
３４  ベース
３５  ガイド溝
３６  起立片
４０  平面部
４１  掛止片
４６  ばね
４８  回動軸
４９  竪枠
５１  係止部
５２  受け具
【図１】
2018199952.tif 000003
【図２】
2018199952.tif 000004
【図３】
2018199952.tif 000005
【図４】
2018199952.tif 000006
【図５】
2018199952.tif 000007
【図６】
2018199952.tif 000008
【図７】
2018199952.tif 000009
【図８】
2018199952.tif 000010
【手続補正書】
【提出日】平成30年5月11日(2018.5.11)
【手続補正１】
【補正対象書類名】明細書
【補正対象項目名】０００６
【補正方法】変更
【補正の内容】
【０００６】
本発明によれば、枠体に開閉自在に吊り込まれた内開き戸の施錠装置であって、戸の戸先側の竪框の小口に沿って延び該竪框の小口に固定される取付部と戸の前面に沿って延びる表板部と上記取付部と表板部の交点に設けられた支承部を有する手掛け片と、該手掛け片の支承部に回動可能に連結され手掛け片の上記表板部に対向する操作部と手掛け片の上記取付部に沿って延び先端に係合鈎部を形成した作動部を有する操作レバーと、戸が閉鎖位置にあるとき上記係合鈎部と係合するよう枠体の竪枠の小口に設けられた係止部と、上記操作レバーの上記係合鈎部が上記係止部に係合する方向に操作レバーを付勢するばねを具備し、戸が閉鎖位置にあるとき係合鈎部が係止部に係合して施錠し、操作レバーの操作部を手掛け片の表板部方向に引き寄せたとき係合鈎部と係止部の係合が外れて解錠されることを特徴とする内開き戸の施錠装置が提供される。
【手続補正２】
【補正対象書類名】特許請求の範囲
【補正対象項目名】請求項１
【補正方法】変更
【補正の内容】
【請求項１】
枠体に開閉自在に吊り込まれた内開き戸の施錠装置であって、戸の戸先側の竪框の小口に沿って延び該竪框の小口に固定される取付部と戸の前面に沿って延びる表板部と上記取付部と表板部の交点に設けられた支承部を有する手掛け片と、該手掛け片の支承部に回動可能に連結され手掛け片の上記表板部に対向する操作部と手掛け片の上記取付部に沿って延び先端に係合鈎部を形成した作動部を有する操作レバーと、戸が閉鎖位置にあるとき上記係合鈎部と係合するよう枠体の竪枠の小口に設けられた係止部と、上記操作レバーの上記係合鈎部が上記係止部に係合する方向に操作レバーを付勢するばねを具備し、戸が閉鎖位置にあるとき係合鈎部が係止部に係合して施錠し、操作レバーの操作部を手掛け片の表板部方向に引き寄せたとき係合鈎部と係止部の係合が外れて解錠されることを特徴とする内開き戸の施錠装置。
【手続補正３】
【補正対象書類名】特許請求の範囲
【補正対象項目名】請求項４
【補正方法】変更
【補正の内容】
【請求項４】
上記請求項１〜３のいずれかに記載の施錠装置を使用した内開き戸。